(57)【要約】【課題】厚みが異なる光学部材を良好に保持できる光学部材用保持具を提供する。【解決手段】偏光板５００は、保持具４００に保持され、ハウジングカバー３００に取り付けられる。保持具４００は、偏光板５００の周縁を支持する枠部４１０と、偏光板５００をハウジングカバー３００の取付部３０２に向かう方向に押さえて挟持するための押え部４１４と、押え部４１４を偏光板５００の厚み方向に回動可能とさせるアーム４１６と、取付部３０２に対向するとともに取付部３０２に当接して押圧力を受けると、押え部４１４を偏光板５００の方向に変位させるレバー部４１５とを備えている。【選択図】図９
2010061047.tif 000002
【特許請求の範囲】
【請求項１】
光学部材を固定部材に取り付けるための光学部材用保持具であって、
前記光学部材の周縁を支持する支持部と、
前記光学部材を前記固定部材に向かう方向に押さえて挟持するための押え部と、
前記押え部を前記光学部材の厚み方向に回動可能とさせる回動部と、
前記固定部材に対向するとともに前記固定部材に当接して押圧力を受けると前記押え部を前記光学部材の方向に変位させる当接部とを備える、
ことを特徴とする光学部材用保持具。
【請求項２】
請求項１において、
前記当接部は、前記回動部の回動支点よりも前記固定部材側に突出している、
ことを特徴とする光学部材用保持具。
【請求項３】
請求項１または２において、
前記押え部、前記回動部および前記当接部は一体的に形成されている、
ことを特徴とする光学部材用保持具。
【請求項４】
請求項１ないし３の何れか一項に記載の光学部材用保持具と、
前記保持具を介して前記光学部材が取り付けられる固定部材と、を備え、
前記光学部材を支持した状態で前記保持具が前記固定部材に取り付けられると、前記当接部が前記固定部材に当接して押圧力を受け、この押圧力によって前記押え部が回動し、これにより前記押え部が前記光学部材に当接して前記光学部材が前記固定部材に向かう方向に押さえられる、
ことを特徴とする光学機器。
【請求項５】
請求項４において、
前記固定部材は、前記保持具が取り付けられたときに前記当接部に当接するよう突出した突出部を有する、
ことを特徴とする光学機器。
【請求項６】
請求項５において、
前記突出部は、前記固定部材とは別の部材で形成されている、
ことを特徴とする光学機器。
【発明の詳細な説明】
【技術分野】
【０００１】
本発明は、偏光板等の光学部材を保持する光学部材用保持具に関する。また、本発明は、光学部材用保持具を用いて光学部材を保持する投写型表示装置等の光学機器に関する。
【背景技術】
【０００２】
現在、液晶パネル等に描画された画像を被投写面（スクリーン等）上に拡大投写する投写型表示装置（以下、「プロジェクタ」という）が商品化され広く普及している。この種のプロジェクタには、光源からの光を変調するための構成として偏光板等、各種の光学部材が用いられている。これら光学部材の中には、保持具によって保持された状態で、所定の固定部材に取り付けられるものがある（たとえば、特許文献１）。
【０００３】
図１３は、偏光板７００を保持する保持具８００の一構成例を示す図である。同図（ａ）は、偏光板７００が取り付けられる前の保持具８００を示す斜視図であり、同図（ｂ）は、偏光板７００が取り付けられた状態の保持具８００を示す斜視図である。
【０００４】
保持具８００は、金属材料で形成されており、偏光板７００の周縁を支持するための枠部８０１を有する。枠部８０１の左右両端には、偏光板７００が左右に動かないよう規制するために、上下方向に延びるガイド部８０２が形成されている。また、ガイド部８０２の上側には、偏光板７００が前方に動かないよう規制するために、内側に張り出すツメ部８０３が形成されている。
【０００５】
さらに、枠部８０１の上部には、偏光板７００が上方に動かないよう規制するために、内側に折り曲げ可能な上押え部８０４が左右に形成されており、下部には、偏光板７００が下方かつ前方に動かないよう規制するために、下部押え部８０５が左右に形成されている。
【０００６】
偏光板７００を保持具８００に取り付ける際には、偏光板７００を、上方から枠部８０１とツメ部８０３との間を通すようにして、偏光板７００の下縁が下部押え部に当たるところまでスライドさせる（同図（ａ）参照）。その後、左右の上部押え部８０４を内側に折り曲げる（（同図（ｂ）参照）。
【０００７】
なお、枠部８０１の上部には鍔部８０６が形成されており、保持具８００は、この鍔部８０６により図示しない固定部材に取り付けられる。
【特許文献１】特開２００８−５８６７４号公報
【発明の開示】
【発明が解決しようとする課題】
【０００８】
ところで、光学部材（偏光板等）の寿命は、使用時の発熱温度と反比例の関係にある。よって、光学部材では、発熱温度を低く抑えることが望ましい。
【０００９】
光学部材は、その厚みが大きいほど、熱容量が大きくなり発熱温度が小さくなるが、部品単価が高くなる。よって、コストバランスや冷却性能等の条件に基づき、機種等に応じて、光学部材の厚みを変更しなければならない場合が生じ得る。
【００１０】
しかしながら、図１３の保持具では、ツメ部８０３や下部押え部８０５が、所期の偏光板７００の厚みに合わせて形成されるため、厚みが異なる他の偏光板７００に対応することが困難であった。たとえば、偏光板７００の厚みが小さくなった場合、これを保持しようとすれば、偏光板７００が前後にガタつくことになる。
【００１１】
本発明は、かかる問題を解消するためになされたものであり、厚みが異なる光学部材に対しても良好に保持することができる光学部材用保持具、および、当該光学部材用保持具を用いることにより光学部材を固定部材に円滑に取り付けることができる光学機器を提供することを目的とする。
【課題を解決するための手段】
【００１２】
本発明の第１の態様は、光学部材を固定部材に取り付けるための光学部材用保持具であって、前記光学部材の周縁を支持する支持部と、前記光学部材を前記固定部材に向かう方向に押さえて挟持するための押え部と、前記押え部を前記光学部材の厚み方向に回動可能とさせる回動部と、前記固定部材に対向するとともに前記固定部材に当接して押圧力を受けると、前記押え部を前記光学部材の方向に変位させる当接部とを備えることを特徴とする。
【００１３】
この構成によれば、光学部材の厚みが小さくなるように変更されても、保持具が固定部材に取り付けられたときに、固定部材によって当接部が押圧されるようにすれば、押え部により光学部材を押さえることができる。したがって、光学部材の厚みが変更されても、光学部材を良好に保持することができる。
【００１４】
ここで、前記当接部は、前記回動部の回動支点よりも前記固定部材側に突出していることが望ましく、このような構成とすれば、固定部材によって当接部を押し易くすることができる。
【００１５】
なお、前記押え部、前記回動部および前記当接部は一体的に形成されている構成とすることができる。
【００１６】
本発明の第２の態様に係る光学機器は、上記第１の態様に係る光学部材用保持具と、前記保持具を介して前記光学部材が取り付けられる固定部材と、を備え、前記光学部材を支持した状態で前記保持具が前記固定部材に取り付けられると、前記当接部が前記固定部材に当接して押圧力を受け、この押圧力によって前記押え部が回動し、これにより前記押え部が前記光学部材に当接して前記光学部材が前記固定部材に向かう方向に押さえられることを特徴とする。
【００１７】
この構成によれば、光学部材の厚みが小さくなるように変更されても、保持具が固定部材に取り付けられると、押え部が光学部材の方向に変位し光学部材が押さえられる。したがって、光学部材の厚みが変更されても、保持具によって光学部材を良好に保持することができる。
【００１８】
また、前記固定部材は、前記保持具が取り付けられたときに前記当接部に当接するよう突出した突出部を有する構成とすることが望ましく、このような構成すれば、突出部によって当接部を容易に押すことができる。
【００１９】
さらに、前記突出部は、前記固定部材とは別の部材で形成されている構成とすることが望ましい。このような構成とすれば、光学部材の厚みに応じて突出部の高さ（厚み）を調整するだけで、固定部材を何ら変更することなく、光学部材の厚みに応じた対応を行うことが可能となる。
【発明の効果】
【００２０】
以上のとおり本発明によれば、厚みが異なる光学部材を良好に保持することができる光学部材用保持具を提供することができる。また、本発明によれば、光学部材の厚みが変更されても、光学部材を固定部材に円滑に取り付けることができる光学機器を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものによって何ら制限されるものではない。
【発明を実施するための最良の形態】
【００２２】
以下、図面を参照して、実施の形態に係る光学部材用の保持具およびこの保持具が適用されたプロジェクタの構成を説明する。
【００２３】
図１は、プロジェクタの概観を示す斜視図である。
【００２４】
プロジェクタの外部キャビネット１は、第１キャビネット１ａと、第１キャビネット１から側方に飛び出した第２キャビネット１ｂからなっている。第１キャビネット１ａの前面側には、映像信号によって変調された光を投写するための窓２が配されており、窓２の近傍（第１キャビネット１ａの上面）から、リモコン受信部９０が外部に臨んでいる。また、第１キャビネット１ａの右側面からは、ＡＶ端子部５０の各端子およびＡＣインレット６０が外部に臨んでおり、さらに、投写画像のフォーカス調整を行うためのツマミ２２が、Ｚ軸方向に変位可能に配されている。
【００２５】
なお、ＡＶ端子部５０には、アラーム操作入力用の操作ボタン部５１が含まれている。また、第２キャビネット１ｂからは、バッテリ残量の低下を報知するためのＬＥＤ４５１が外部に臨んでいる。
【００２６】
プロジェクタを床等の載置面に載置する場合には、アダプタが用いられる。
【００２７】
図２は、アダプタの構成および装着方法を説明する図である。同図（ａ）は、アダプタとしてスタンド３を用いる場合を示し、同図（ｂ）は、アダプタとしてアーム部材５を用いる場合を示す。
【００２８】
図２（ａ）を参照して、スタンド３は、第１キャビネット１ａと第２キャビネット１ｂの底面に装着される。すなわち、第１キャビネット１ａと第２キャビネット１ｂの底面をスタンド３の上面に載せた状態で、ネジ４によってスタンド３を第１キャビネット１ａにネジ止めする。
【００２９】
図３（ａ）、（ｂ）は、それぞれ、スタンド３を装着したときのプロジェクタの使用状態を示す右側面図および裏面図である。この場合、映像信号によって変調された光は、プロジェクタが載置される面（載置面）に投写される。
【００３０】
図２（ｂ）を参照して、アーム部材５は、第１キャビネット１ａと第２キャビネット１ｂの裏面に装着される。すなわち、第１キャビネット１ａと第２キャビネット１ｂの裏面に配されたネジ孔にアーム部材５の孔を合わせた状態で、ネジ６によってアーム部材５を第１キャビネット１ａにネジ止めする。
【００３１】
図４は、アーム部材５を装着したときのプロジェクタの使用状態を示す右側面図である。この場合、映像信号によって変調された光は、プロジェクタが載置される面（載置面）とは異なる面（壁やスクリーン等）に投写される。なお、アーム部材５に配された調節ネジ５ａを回すことにより、光の投写方向を微調節することができ、被投写面に対する画像の投写状態を調節することができる。
【００３２】
図５および図６は、外部キャビネット１を省略した状態のプロジェクタの構成を示す外観斜視図および上面図である。なお、図６には、メイン基板４０が取り外された状態が示されている。
【００３３】
図５および図６を参照して、プロジェクタは、光学エンジン１０と、投写光学系２０と、電源ユニット３０と、メイン基板４０と、ＡＶ端子部５０と、ＡＣインレット６０を備えている。なお、８０ａは前面側キャビネットからのボス、８０ｂは裏面側キャビネットからのボス、８０ｃは振動吸収用のブッシュである。
【００３４】
投写光学系２０は、鍔部がブッシュ８０ｃを介してボス８０ａ、８０ｂ間に挟持されることによりキャビネット内に装着される。このように、投写光学系２０は、振動吸収用のブッシュ８０ｃを介して挟持されているため、外部キャビネット１からの衝撃が投写光学系２０に伝わり難くなっている。また、投写光学系２０は、振動吸収用のブッシュ８０ｃを介して前面側キャビネットからのボス８０ａおよび裏面側キャビネットからのボス８０ｂにより支持されているため、支持強度が向上している。
【００３５】
投写光学系２０の投写レンズ部分からは、図６に示す如く、フォーカス調整用のレバー２１が突出されている。このレバー２１をＸ−Ｚ平面の面内方向に回動させることにより投写画像のフォーカスが調節される。フォーカスレバー２１の先端に上記フォーカス調整用のツマミ２２が装着され、このツマミ２２が、第１キャビネット１ａの右側面から外部に臨んでいる（図４参照）。
【００３６】
光学エンジン１０は、光源１０１からの白色光を青色波長帯、緑色波長帯および赤色波長帯の光に分離するとともに各波長帯の光を表示素子（液晶パネル）で変調し、さらに、変調後の各波長帯の光をダイクロイックプリズムで色合成し、合成後の光を投写光学系２０に出射する。図７に示すように、光源１０１は、Ｘ軸方向に光を照射するよう配置され、投写光学系２０は光軸がＹ軸方向となるよう配置されている。
【００３７】
電源ユニット３０は、光源１０１およびメイン基板４０に電源を供給する。電源ユニット３０には、ＡＣインレット６０を介してＡＣ電圧が入力される。メイン基板４０は、プロジェクタを駆動および制御するための回路である。図５に示す如く、メイン基板４０を保持する回路基板は、光学エンジン１０の一部を覆うようにして配置されている。また、メイン基板４０には、ＡＶ端子部５０を介してＡＶ（Audio Visual）信号が入力される。また、ＡＶ端子部５０には、上記の如く、アラーム操作入力用の操作ボタン部５１が含まれている。
【００３８】
光学エンジン１０の裏面側には３つの吸気ファン７１が配されている。これら吸気ファン７１によって吸気されたエアーは、光学エンジン１０の左側面側に配された排気ファン７２および背面側に配された排気ファン７２によって排気される。このように吸気ファン７１と排気ファン７２を配置することにより、吸気ファン７１によって吸気されたエアーは、光学エンジン１０の光学系、光源１０１および電源ユニット３０を通過するよう流れる。また、吸気されたエアーは、ダクト７３を介して光源１０１の側面に導かれ、光源１０１の側面から排気ファン７２に向かって流れる。かかるエアーの流れによって、これら部材に発生する熱が取り除かれる。
【００３９】
図７は、光学エンジン１０のハウジング２００に、ハウジングカバー３００、偏光板５００および表示ユニット６００が組み付けられていない状態を示す図（斜視図）である。図８は、光学エンジン１０のハウジング２００に、ハウジングカバー３００と偏光板５００が組みつけられ、表示ユニット６００が組みつけられていない状態を示す図（斜視図）である。なお、これらの図においては、便宜上、キャビネット１の一部が省略されている。
【００４０】
光学エンジン１０は、ハウジング２００を備えており、ハウジング２００内に各種光学部品が配されている。ハウジング２００は、ハウジングカバー３００によって覆われる。
【００４１】
ハウジング２００内には、収容室２０１が区画形成されており、この収容室２０１内に、保持具４００で保持された状態で３つの偏光板５００が配置され、さらに表示ユニット６００が配置される。
【００４２】
ハウジングカバー３００には、収容室２０１に対応する開口部３０１が形成されており、偏光板５００が保持された保持具４００がハウジングカバー３００の開口部３０１の周縁部に取り付けられる。
【００４３】
表示ユニット６００は、３つの液晶パネル６０１とダイクロイックプリズム６０２をユニット化したものであり、さらに、各液晶パネル６０１とダイクロイックプリズム６９２の間にも、図示しない偏光板が配されている。
【００４４】
表示ユニット６００が収容室２０１内に配されると、各液晶パネル６０１とハウジングカバー３００に取り付けられた各偏光板５００とが対向する。こうして、青色波長帯、緑色波長帯および赤色波長帯の各光は、偏光板５００を通過して、液晶パネル６０１に入射される。
【００４５】
図９は、保持具４００の構成を示す図（斜視図）である。以下、同図を参照して、保持具４００の構成を説明する。
【００４６】
保持具４００は、樹脂材料で形成されており、偏光板５００が取り付けられる枠部４１０を有している。枠部４１０は、上枠４１１と、下枠４１２と、左右２つの横枠４１３とで構成されている。
【００４７】
上枠４１１には、押え部４１４が形成されている。押え部４１４には、その前端から下方に向けてツメ部４１４ａが形成されている。
【００４８】
押え部４１４の上部には、上方に延びるレバー部４１５が形成されている。レバー部４１５の先端には、前方にやや張り出したヘッド部４１５ａが形成されている。また、レバー部４１５の背面には、突出部４１５ｂ（図１１参照）が形成されており、これによってレバー部４１５の背面がアーム４１６の回動支点よりも後方に突出している。
【００４９】
押え部４１４およびレバー部４１５は、左右２つのアーム４１６により回動可能に支持されている。押え部４１４とレバー部４１５は、アーム４１６を挟んで反対側に位置している。さらに、各アーム４１６には、リブ４１７が形成されている。
【００５０】
こうして、レバー部４１５が前後方向に押されると、押え部４１４は、アーム４１６を回動支点にして、アーム４１６の捻じれ弾性力の範囲内で前後方向（偏光板５００の厚み方向）に回動する。なお、上枠４１１には、レバー部４１５を背面側に開放するための切欠き４１８が形成されている。
【００５１】
下枠４１２の上縁部には、その前面側に２つの下ツメ部４１９が形成されており、その背面側に２つのリブ４２０が形成されている。また、左右の横枠４１３には、それぞれ、側面側に２つのリブ４２１が形成されている。
【００５２】
枠部４１１に取り付けられた偏光板５００は、押え部４１４の下端と下枠４１２の上縁部とにより上下方向に挟まれ、左右のリブ４２１によって左右方向に挟まれる。さらに、偏光板５００は、左右の横枠４１３および上下のリブ４１７、４２０と押え部４１４のツメ部４１４ａおよび下ツメ部４１９とによって前後に挟まれる。このようにして、偏光板５００は、上下左右および前後に動かないように固定される。
【００５３】
枠部４１０の上部には、後方に延びる鍔部４２２が形成されている。鍔部４２２には、左右に２つの長孔４２３が形成され、右端部に切欠き４２４が形成されている。
【００５４】
図１０は、保持具４００のハウジングカバー３００への取付構造を示す図である。ハウジングカバー３００の開口部３０１の周縁部に３つの取付部３０２が形成されている。各取付部３０２の上面にはネジ孔３０３が形成されており、また開口部３０１と反対の側面側に２つのピン３０４画形成されている。
【００５５】
保持具４００をハウジング３０３に取り付ける際には、保持具４００の鍔部４２２が取付部３０２の上面に載せられる。このとき、鍔部４２２の２つの長孔４２３が２つのピン３０４に通される。これにより、鍔部４２２の切欠き４２３がネジ孔３０３に整合する。長孔４２３および切欠き４２３は保持具４００の左右方向に長くなっており、保持具４００の取付位置が左右方向に調整可能となっている。よって、保持具４００は、左右方向の位置が調整された後、図示しないネジにより切欠き４２３とネジ孔３０３との間でネジ止めされる。
【００５６】
なお、後述するように、保持具４００に厚みの小さな偏光板５００が保持される場合には、取付部３０５の開口部３０１側の側面に、取付部３０５からの突出部となる突起部材３０５が取り付けられる。突起部材３０５は、たとえば、所定の厚みを有する板部材とすることができる。
【００５７】
図１１は、偏光板５００を保持した保持具４００がハウジング２００内に取り付けられた状態を示す図（断面図）である。同図（ａ）は、厚みの大きな偏光板５００が使用されたときの取付状態を示す図であり、同図（ｂ）は、厚みの小さな偏光板５００が使用されたときの取付状態を示す図である。
【００５８】
同図（ａ）に示すように、偏光板５００が、押え部４１４が何も回動しない位置（以下、中立位置という）にある状態で、ツメ部４１４ａにより適正に挟持できる厚さである場合、取付部３０２には突起部材３０５（同図（ｂ）参照）が取り付けられない。このときは、保持具４００が取付部３０２に取り付けられた状態において、レバー部４１５の突出部４１５ｂが取付部３０２の側面に当接している。このため、レバー部４１５は、これ以上後方には回動できない。よって、押え部４１４は前方に回動できないので、プロジェクタに衝撃が加わるなどしても、ツメ部４１４ａが前方へ動いて偏光板５００が外れてしまうようなことが起こり難い。
【００５９】
なお、レバー部４１５は、取付部３０２の側面に必ずしも当接させる必要はなく、偏光板５００が外れるところまでツメ部４１４ａが動かない範囲で、側面に近接対峙させる構成とすることもできる。
【００６０】
一方、同図（ｂ）に示すように、偏光板５００が厚さの小さなものに変更され、これにより、押え部４１４が中立位置にある状態では、偏光板５００とツメ部４１４ａとの間に大きな隙間が開くために偏光板５００を適正に狭持できなくなった場合には、取付部３０２に突起部材３０５が取り付けられる。突起部材３０５の厚みは、偏光板５００の厚みに応じて予め調整される。このときは、保持具４００を取付部３０２に取り付けた際に、レバー部４１５の突出部４１５ａが突起部材３０５に押されて前方へ回動する。これにより、押え部４１４が偏光板５００の方向に回動し、ツメ部４１４ａが偏光板に当接する。このようにして、偏光板５００の厚みが小さくなっても、押え部４１４によって偏光板５００が適正に挟持される。
【００６１】
なお、この場合も、レバー部４１５が後方に回動できなくなるので、衝撃等によって偏光板５００が外れ難くなる。
【００６２】
図１２は、保持具４００から偏光板５００を取り外すときの操作について説明するための図である。同図（ａ）は、保持具４００をハウジングカバー３００から取り外したときの状態を示す図であり、同図（ｂ）は、保持具４００から偏光板５００を取り外すときの状態を示す図である。
【００６３】
同図（ａ）に示すように、保持具４００をハウジングカバー３００の取付部３０２から取り外すと、アーム４１６の復元力によって押え部４１４とレバー部４１５が中立位置（破線で示す位置）に戻る。この状態から、レバー部４１５のヘッド部４１５ａを指などで押すと、レバー部４１５が後方へ回動し、これに伴って押え部４１４が前方へ回動する。こうして、押え部４１４を十分に前方へ回動させることで、偏光板５００を取り外すことができる。
【００６４】
なお、図１２は、偏光板５００の厚みが小さなときの例であるが、偏光板５００の厚みが大きい場合（図１１（ａ）の場合）にも同様にして、偏光板５００を取り外すことができる。この場合、保持具４００を取付部３０２から外す前に、押え部４１４およびレバー部４１５が中立位置にあること以外は上記と同様である。
【００６５】
以上説明した通り、本実施の形態によれば、偏光板５００の厚みが小さくなるように変更されても、保持具４００がハウジングカバー３００の取付部３０２に取り付けられた際に、押え部４１４が偏光板５００の方向に変位して偏光板５００が押さえられる。したがって、偏光板５００の厚みが変更されても、保持具４００によって偏光板５００を良好に保持することができる。
【００６６】
また、本実施の形態によれば、レバー部４１５に突出部４１５ｂが形成されることにより、レバー部４１５がアーム４１６の回動支点よりも取付部３０２側に突出されているので、取付部３０２（突起部材３０５）によってレバー部４１５を押し易くすることができる。
【００６７】
さらに、本実施の形態によれば、取付部３０２に突起部材３０５が取り付けられる構成としたので、突起部材３０５によってレバー部４１５を押し易くすることができる。また、突起部材３０５は、取付部３０２とは別の部材で形成されているので、偏光板５００の厚みに応じて突起部材３０５の厚みを調整するだけで、取付部３０２（ハウジングカバー３００）を何ら変更することなく、偏光板５００の厚みに応じた対応を行うことが可能となる。
【００６８】
さらに、本実施の形態によれば、保持具４００を取付部３０２から取り外した状態で、レバー部４１５を後方に押すだけで、偏光板５００を保持具４００から容易に取り外すことができる。
【００６９】
本発明は、上記実施の形態に何ら限定されるものではなく、また、本発明の実施形態も、上記以外に種々の変更が可能である。
【００７０】
たとえば、上記実施の形態では、保持具４００の上部側のみがハウジングカバー３００に取り付けられる構成であり、保持具４００の下部には２つの下ツメ部４１９を形成するようにしているが、たとえば、保持具４００の下部側もハウジングカバー３００などの固定部材に取り付けられる構造にできれば、下ツメ部４１９に変えて、押え部４１４、レバー部４１５およびアーム部４１６からなる構成を保持具４００の下部側に用いることもできる。このようにすれば、上下２つの押え部４１４によって偏光板５００をより良く挟持することが可能となる。
【００７１】
また、上記実施の形態では、偏光板５００の保持具４００に本発明の光学部材用保持具を適用する例について説明したが、これに限らず、本発明の光学部材用保持具を、光学補償板等、その他の光学部材の保持具に適用することもできる。
【００７２】
さらに、上記実施の形態では、本発明の光学部材保持具をプロジェクタに適用する例について説明したが、これに限らず、本発明の光学部材保持具をプロジェクタ以外の光学機器に適用することもできる。
【００７３】
この他、本発明の実施形態は、特許請求の範囲にされた範囲において適宜変更可能である。
【図面の簡単な説明】
【００７４】
【図１】実施の形態に係るプロジェクタの外観構成を示す図（斜視図）
【図２】実施の形態に係るアダプタとアダプタの設置方法を説明する図
【図３】実施の形態に係るプロジェクタの使用形態を示す図
【図４】実施の形態に係るプロジェクタの使用形態を示す図
【図５】実施の形態に係るプロジェクタの内部構成を示す図（斜視）
【図６】実施の形態に係るプロジェクタの内部構成を示す図（上面図）
【図７】実施の形態に係る光学エンジンのハウジングにハウジングカバー、偏光板および表示ユニットが組み付けられていない状態を示す図
【図８】実施の形態に係る光学エンジンのハウジングにハウジングカバーと偏光板が組みつけられ、表示ユニットが組みつけられていない状態を示す図
【図９】実施の形態に係る保持具の構成を示す図
【図１０】実施の形態に係る保持具のハウジングカバーへの取付構造を示す図
【図１１】実施の形態に係る偏光板を保持した保持具がハウジング内に取り付けられた状態を示す図
【図１２】実施の形態に係る保持具から偏光板を取り外すときの操作について説明するための図
【図１３】偏光板を保持する保持具の一構成例を示す図
【符号の説明】
【００７５】
３００    ハウジングカバー（固定部材）
３０２    取付部（固定部材）
３０５    突起部材（突出部）
４００    保持具
４１０    枠部（支持部）
４１４    押え部
４１５    レバー部（当接部）
４１６    アーム（回動部）
【図１】
2010061047.tif 000003
【図２】
2010061047.tif 000004
【図３】
2010061047.tif 000005
【図４】
2010061047.tif 000006
【図５】
2010061047.tif 000007
【図６】
2010061047.tif 000008
【図７】
2010061047.tif 000009
【図８】
2010061047.tif 000010
【図９】
2010061047.tif 000011
【図１０】
2010061047.tif 000012
【図１１】
2010061047.tif 000013
【図１２】
2010061047.tif 000014
【図１３】
2010061047.tif 000015